(57)【特許請求の範囲】
【請求項１】
脱水室（４）に設けられワーク（Ａ）を上載して回転する回転部材（１１）と、
回転部材（１１）に上載されたワーク（Ａ）の四隅部を除く前後左右の側部を支持する支持部材（１３）とを備えた
遠心脱水装置。
【請求項２】
支持部材（１３）は回転部材（１１）に固定された支持部材本体（１３Ａ）と、
支持部材本体（１３Ａ）に対して着脱可能な支持枠（２１）（６７）とを備えた請求項１記載の遠心脱水装置。
【請求項３】
脱水室（４）を構成するケーシングを内外２重構造と成し、
内側ケーシング（３）には遠心分離された水を外側ケーシング（２）に導出する開口部が形成された
請求項１もしくは２記載の遠心脱水装置。
【請求項４】
脱水室（４）を上部開放構造に形成した
請求項１，２もしくは３記載の遠心脱水装置。
【請求項５】
ワーク（Ａ）を搬送するワーク搬送装置（３４）を脱水室（４）の側方に設け、
かつワーク搬送装置（３４）のワーク（Ａ）を脱水室（４）に対して自動搬入、搬出するワーク出入れ装置（４２）を備えた
請求項１，２，３もしくは４０載の遠心脱水装置。
【発明の詳細な説明】
【０００１】
【発明の属する技術分野】
この発明は、例えば洗浄処理後におけるパレット、コンテナ、容器その他の各種ワークを遠心脱水するような遠心脱水装置に関する。
【０００２】
【従来の技術】
従来、上述例の遠心脱水装置としては、例えば実公平６−１６５９１号公報に記載の装置がある。
すなわち密閉された脱水室内にモータ駆動により回転するターンテーブルを設け、このターンテーブル上に上下方向に積層されたワークの四隅部を合計４個のクランプにて位置ずれしないように固定し、ターンテーブルの回転時にワークに付着した水分を遠心力により振り飛ばして脱水すべく構成した遠心脱水装置である。
【０００３】
しかし、この従来装置においては最も水の切れやすいワークの四隅部がクランプにより固定されている関係上、高効率の脱水能力を確保することができない問題点があった。
また脱水室は１重構造の外壁フレームにより密閉されているため、ワークから一旦遠心分離された水が外壁フレームに当たって跳ね返り、ワークに再付着する所謂２次飛散水による水分付着が発生する問題点があった。
【０００４】
さらに脱水室がその天板部分も含めて密閉構造に形成されているため、遠心脱水時の円滑な気流（風の流れ）の確保ができず、脱水性能が劣るばかりでなく、振動および振動音が大となる問題点があった。
加えて、ワークの四隅をクランプするクランプ部材をクランプ動作、アンクランプ動作させるためにシリンダ、ボールジョイント、ロッド、遠心パイプ当接レバーなどの複雑な機構が必要で、その構造が複雑化する問題点があった。
【０００５】
【発明が解決しようとする課題】
この発明の請求項１記載の発明は、回転部材に上載されたワークの四隅部を除く前後左右の側部を支持して遠心脱水することで、最も水が切れやすいワークの四隅部を開放して水分を遠心脱水することができ、高効率の脱水能力を確保することができる遠心脱水装置の提供を目的とする。
【０００６】
この発明の請求項２記載の発明は、請求項１記載の発明の目的と併せて、支持部材本体と、この支持部材本体に対して着脱可能な支持枠とにより構成することで、脱水時においては支持部材本体に支持枠を装着してワークを位置決め保持することができ、ワークの挿入時、排出時には支持部材本体から離脱可能な支持枠をワーク挿入用、ワーク排出用の治具として兼用することができ、ワークのクランプに要する構造の簡略化を図ることができる遠心脱水装置の提供を目的とする。
【０００７】
この発明の請求項３記載の発明は、請求項１もしくは２記載の発明の目的と併せて、脱水室を構成するケーシングを内外２重構造と成し、内側ケーシングには遠心分離された水を外側ケーシングに導出する開口部を形成（例えば内側ケーシングをパンチングメタルにて形成）することで、水と空気の分離効率向上を図り、ワークから脱水した水を効果的に回収して、２次飛散水によるワークへの水分再付着をなくすことができる遠心脱水装置の提供を目的とする。
【０００８】
この発明の請求項４記載の発明は、請求項１，２もしくは３記載の発明の目的と併せて、脱水室を上部解放構造に形成することで、遠心脱水時において開放された上部からの円滑な気流（風の流れ）の確保ができ、脱水性能の向上を図ると共に、装置の振動および振動音の低減を図ることができる遠心脱水装置の提供を目的とする。
【０００９】
この発明の請求項５記載の発明は、請求項１，２，３もしくは４記載の発明の目的と併せて、ワークを運搬するワーク搬送装置を脱水室の側方に設けると共に、ワーク搬送装置のワークを脱水室に対して自動搬入、搬出するワーク出入れ装置を備えることで、例えば洗浄、脱水を必要としないワークを搬送する時、あるいは次工程に供給すべきワークが不足するような場合、ワーク搬送装置にて搬送されるワークを脱水室に供給することなく、脱水室の側方を通過処理させることができる一方、脱水の必要時にはワーク出入れ装置にてワークを脱水室に対して自動搬入、搬出することができる遠心脱水装置の提供を目的とする。
【００１０】
【課題を解決するための手段】
この発明の請求項１記載の発明は、脱水室に設けられワークを上載して回転する回転部材と、回転部材に上載されたワークの四隅部を除く前後左右の側部を支持する支持部材とを備えた遠心脱水装置であることを特徴とする。
【００１１】
この発明の請求項２記載の発明は、請求項１記載の発明の構成と併せて、支持部材は回転部材に固定された支持部材本体と、支持部材本体に対して着脱可能な支持枠とを備えた遠心脱水装置であることを特徴とする。
【００１２】
この発明の請求項３記載の発明は、請求項１もしくは２記載の発明の構成と併せて、脱水室を構成するケーシングを内外２重構造と成し、内側ケーシングには遠心分離された水を外側ケーシングに導出する開口部が形成された遠心脱水装置であることを特徴とする。
【００１３】
この発明の請求項４記載の発明は、請求項１，２もしくは３記載の発明の構成と併せて、脱水室を上部開放構造に形成した遠心脱水装置であることを特徴とする。
【００１４】
この発明の請求項５記載の発明は、請求項１，２，３もしくは４記載の発明の構成と併せて、ワークを搬送するワーク搬送装置の側方に脱水室を設け、かつワーク搬送装置のワークを脱水室に対して自動搬入、搬出するワーク出入れ装置を備えた遠心脱水装置であることを特徴とする。
【００１５】
【発明の作用及び効果】
この発明の請求項１記載の発明によれば、脱水室内において回転部材に上載されたワークは、支持部材によりワークの四隅部を除く前後左右の側部が支持される。
この状態で回転部材を回転させると、ワークに付着した水滴、水分は遠心力により効率よく脱水される。
しかも、回転部材上のワークは支持部材により遠心力に抗して所定姿勢に支持されることは勿論、最も水が切れやすいワークの四隅部を開放して水分を遠心脱水することができるので、高効率の脱水能力を確保することができる効果がある。
【００１６】
この発明の請求項２記載の発明によれば、請求項１記載の発明の効果と併せて、支持部材を支持部材本体と、この支持部材本体に対して着脱可能な支持枠とで構成したので、脱水時においては支持部材本体に支持枠を装着してワークを位置決め保持することができ、またワークの挿入時、排出時には支持部材本体から離脱可能な支持枠をワーク挿入用、ワーク排出用の治具として兼用することができる効果があり、ワークの脱水時におけるクランプに必要となる構造の簡略化を図ることができる効果がある。
【００１７】
この発明の請求項３記載の発明によれば、請求項１もしくは２記載の発明の効果と併せて、脱水室を構成するケーシングを内外２重構造と成し、遠心分離された水滴、水分を内側ケーシングの開口部から外側ケーシング方向へ導出すべく構成したので、水と空気の分離効率の向上を図って、ワークから脱水した水を効果的に回収し、２次飛散水によるワークへの水分再付着をなくすことができる効果がある。
【００１８】
この発明の請求項４記載の発明によれば、請求項１，２もしくは３記載の発明の効果と併せて、脱水室を上部開放構造に形成したので、遠心脱水時において開放された脱水室上部からの円滑な気流（風の流れ）を確保することができ、脱水性能の向上を図ることができると共に、装置の振動および振動音の低減を達成することができる効果がある。
【００１９】
この発明の請求項５記載の発明によれば、請求項１，２，３もしくは４記載の発明の効果と併せて、ワークを搬送するワーク搬送装置を脱水室の側方にを設けたので、例えば洗浄、脱水を必要としないワークを搬送する時、あるいは次工程に供給すべきワークが不足するような場合には、ワーク搬送装置にて搬送されるワークを脱水室に搬入することなく、脱水室の側方を通過処理させることができる一方、脱水の必要があるワークについてはワーク出入れ装置にて、このワークを脱水室に対して自動搬入、搬出することができる効果がある。
【００２０】
【実施例】
この発明の一実施例を以下図面に基づいて詳述する。
図面は遠心脱水装置を示し、図１、図２、図３において、この遠心脱水装置は複数のフレームを適宜組合わせて直方体形状かつ枠状の装置本体１を構成している。
【００２１】
この装置本体１内の図１、図３に示す左側中間部には、上下方向に延びるパネル製のアウタケーシング２と、同様に上下方向に延びるパンチングメタル製または網目構造のインナケーシング３とで内外２重構造の脱水室４を形成している。しかも、この脱水室４はその上部を開放した上部開放構造に形成され、脱水室４の上部には軸受に必要な骨組み（チャンネル部材２２参照）のみを有する構造に形成されている。
【００２２】
この脱水室４の一側（図３の右側）にはワークＡの出し入れを許容する単一のワーク出入口５を形成すると共に、このワーク出入口５を開閉可能に閉塞する開閉部材としての一対の扉６，６を設けている。ここで、上述のワーク出入口５は後述する支持枠６７の出し入れを許容する寸法に設定されている。
【００２３】
一対の扉６は平行リンク機構７およびレバー８を介して扉開閉用の流体シリンダ９にそれぞれ連結され、図３に示すように流体シリンダ９のピストンロッド突出時にはワーク出入口５を開放し、図５に示すように流体シリンダ９のピストンロッド没入時にはワーク出入口５を閉塞するように構成している。なお、図３、図４、図５では平行リンク機構７をその上部に位置するもののみ図示しているが、扉６の下部にも図示しない同様のリンク機構が設けられている。但し、流体シリンダ９は扉６の上方側にのみ設けている。
【００２４】
脱水室４内には図１に示すように回転軸１０の上端に連結された回転部材としての方形状の回転板１１を設け、この回転板１１の上面には４本のブロック状のスペーサ１２（図９参照）を適宜間隔を隔てて取付けている。
また回転板１１の上部にはスペーサ１２上に上載されたワークＡを遠心力に抗して所定姿勢に支持する支持部材１３を取付けている。すなわち、回転軸１０の上方対向位置に上部回転軸１４を設け、この上部回転軸１４の下端に方形状の回転板１５を取付けると共に、上下の回転板１５，１１の両サイド部相互間に図１、図３、図９に示す如く合計４本の支持ロッド１６を張架している。
【００２５】
上下の回転板１５，１１間の幅方向に位置する各２本の支持ロッド１６間には上下方向に適宜間隔を隔てて２本のスポーク１７を張架し、これらの各スポーク１７の延長線上に位置するように上述の支持ロッド１６の外面には、上向きに開口したＵ字溝（凹部）を有するフック１８を取付けて、これら支持ロッド１６、スポーク１７、フック１８により支持部材本体１３Ａを構成している。
さらに図１において左側に位置する合計４個のフック１８には、２本の横部材１９と２本の縦部材２０とを井形状に組合わせた支持枠２１を取外し可能に係止している。つまり、この支持枠２１は支持部材本体１３Ａに対して着脱可能に構成したものである。
【００２６】
而して、図３に示す如く平面から見てコ字状の各要素１６〜２１および後述する支持枠６７により支持部材１３を構成して、このコ字状の支持部材１３内にワークＡを挿入し、かつワークＡをコ字状の支持部材１３で支持すべく構成している。
ところで、上部回転軸１４および回転軸１０は上下の各チャンネル部材２２，２３に取付けられた軸受２４，２５に軸支される一方、回転軸１０には位置決め停止用のスリット円板２６と従動タイミングプーリ２７とを嵌合し、この回転軸１０の下端を別の軸受２８で軸支している。
【００２７】
スリット円板２６には位置決め停止用のセンサ２９を離間配置する一方、従動タイミングプーリ２７と、駆動源としてのモータ３０（図３参照）の回転軸に嵌合した原動タイミングプーリ３１との間には、タイミングベルト３２を張架し、さらにタイミングベルト３２の一部にはテンションプーリ３３を介設している。
【００２８】
ワーク出入口５との対向位置にはワークＡを例えば洗浄および積層工程から次工程へ向けて水平搬送するワーク搬送装置３４を設けるが、この実施例においては図３に示す如く遠心脱水装置の装置本体１の全幅にわたるワーク搬送装置３４を設け、このワーク搬送装置３４の側方に脱水室４が位置するように構成している。
このワーク搬送装置３４は図２に示す如く複数のローラ３５間にエンドレスベルト３６を張架したベルトコンベアで構成するが後述するフォーク７２と対応する部位のベルト３６をローラ３７でＵ字状に案内して、フォーク７２のベルト搬送面より下方への挿入を許容している。
【００２９】
上述のエンドレスベルト３６は駆動源としてのモータ３８の回転軸に嵌合してなる原動ローラ３９にベルト４０および従動ローラ４１を介して所定方向に駆動制御される。なお、ワーク搬送装置３４はベルトコンベアに代えてローラコンベアで構成してもよいことは勿論である。
次に、図１、図２を参照してワーク搬送装置３４上のワークＡをその側方の脱水室４に自動搬入すると共に、脱水後のワークＡを脱水室４から自動的に取出してワーク搬送装置３４上に移載するワーク出入れ装置４２の構成について説明する。
【００３０】
このワーク出入れ装置４２は、ワーク搬送装置３４の上方から脱水室４の上方にかけて装置本体１の全長にわたって張架された２本の水平レール４３に沿って往復動するランナ４４と、このランナ４４の下部に一体的に取付けられたリフタ４５とを備えている。
【００３１】
ランナ４４は、図２に示すようにランナハウジング４６に設けられてレール４３の上下両面を挟持して転動する複数のローラ４７と、チェーン４８を係止する係止部材４９とを備え、レール４３，４３間の中間上部においてレール４３の前後両サイドに設けられたスプロケット５０，５１間に張架されてなるチェーン４８の駆動により、レール４３に沿って往復動するように構成されている。
【００３２】
またチェーン４８は、装置本体１のトップデッキに固定したモータ５２から原動スプロケット５３、チェーン５４、従動スプロケット５５およびスプロケット５０を介して駆動される。このランナ４４のチェーン駆動構成に代えて、ランナ４４をロッドレスシリンダその他の手段にて往復動するように構成してもよいことは勿論である。
【００３３】
ランナ４４の下部に一体的に取付けられたリフタ４５は、上下方向に延びる一対のリフトフレーム５６，５７と、これら各リフトフレーム５６，５７間の上部に横架された上側の横フレーム５８と、各リフトフレーム５６，５７間の下部に横架された下側の横フレーム５９とを備え、上側の横フレーム５８の下部中間から下方に向けて吊下した流体シリンダ６０で、リフトフレーム５６，５７側のガイド棒６１，６２に沿ってスライダ６３を昇降操作すべく構成している。
【００３４】
このスライダ６３において脱水室４内のフック１８と幅方向にオフセットする位置には、上向きに開口したＵ字溝を有する合計４個のフック６４を取付けて、これらの各フック６４には２本の横部材６５と２本の縦部材６６とを井形状に組合わせた支持枠６７を取外し可能に係止している。この支持枠６７と先に述べた支持枠２１とは同一形状に構成されると共に、これら支持枠２１，６７は丸棒もしくはパイプ部材により構成される。
【００３５】
ここで、支持枠６７は図１、図８に示すように脱水室４内の支持部材本体１３Ａに対して着脱可能に構成したもので、この支持枠６７を支持部材本体１３Ａに装着した時には、図５に示すようにワークＡの四隅部を除く前後左右の側部を支持するように構成している。
【００３６】
また下側の横フレーム５９の下部中間から下方に向けて吊下した流体シリンダ６８で、リフトフレーム５６，５７側のガイドブロック６９およびフォークベース７０側のガイド棒７２に沿って、フォークベース７０を介して４本爪構造のフォーク７２（図９参照）を昇降操作すべく構成している。
【００３７】
この４本爪構造のフォーク７２は図１、図２に示すノーマル時にあっては、ワークＡのワーク搬送装置３４による搬送を阻害しないようにエンドレスベルト３６の搬送面より下側に位置し、ワークＡを持上げる時には図６に示すように流体シリンダ６８の操作により上動して、ワークＡの下面４箇所を支持してワークＡをエンドレスベルト３６の搬送面上方に持上げる。
【００３８】
ワークＡは図９に示すように複数のパレットａを上下多段に積層したもので、この遠心脱水装置の前工程において各パレットａが洗浄され、洗浄後の各パレットａが積層された後に図３の矢印ｂ方向から積層済みのパレットａがワーク搬送装置３４上に搬送されてくるが、以下単にワークＡと略記する。
【００３９】
図３に示すようにワーク搬送装置３４を隔てたワーク出入口５の両端部と反対の側にはワークＡをエンドレスベルト３６上において位置決め停止させるための一対のストッパ装置７３，７４を配設している。
これら一対のストッパ装置７３，７４は対称に構成され、ワークＡの送入側面、送出側面に当接してワークＡ姿勢を整える２本１組のストッパロッド７５と、このストッパロッド７５を支持する支持アーム７６と、支軸７７を支点として支持アーム７６を回動操作させるレバー７８および流体シリンダ７９とを備えている。
【００４０】
なお、図１における８０は脱水室４の底部に設けられたドレン用の底板で、ワークＡから遠心分離された水滴、水分等の排水を受けて、脱水室４の外部に流下させるが、この底板８０にドレン管およびドレン用の排水ポンプを連続して、排水を脱水室４外へ強制排出すべく構成してもよい。
また井形状に組合わされた各支持枠２１，６７におけるそれぞれの横部材１９，６５の両端部にはフック１８の外面に位置するストッパ１９ａ，６５ａが一体的に形成され、遠心力が付勢された時の支持枠２１，６７の位置ずれをストッパ１９ａ，６５ａで防止し、ワークＡを定位置に位置規制するように構成している。
【００４１】
図示実施例は上記の如く構成するものにして、以下作用を説明する。
図３に示す一対のストッパ装置７３，７４のうち送入側のストッパ装置７３の支持アーム７６はワーク搬送装置３４から後退した後退位置にあり、送出側のストッパ装置７４の支持アーム７６はその２本１組のストッパロッド７５でワークＡを定位置に静止させる位置決め用ポジションに位置している。
【００４２】
この図３に示す状態下において前工程としての洗浄および積層ステーション（図示せず）から同図に矢印ｂで示す如くワークＡが送入されると、このワークＡはワーク搬送装置３４の駆動によりストッパ装置７４のストッパロッド７５に当接する位置まで搬送される。
【００４３】
ワークＡが脱水室４の単一のワーク出入口５と対向する定位置（図４に示す位置）まで搬送されると、ワーク搬送装置３４の駆動を停止する一方、送入側のストッパ装置７３を駆動してその支持アーム７６および２本１組のストッパロッド７５を後退位置から位置決め用ポジションに約９０度回動して、図４の状態と成す。この時、ワークＡは前後各２本のストッパロッド７５によりその姿勢が整えられる。
【００４４】
このようにして図４に示す定位置においてワークＡの姿勢が整えられると、次に図６に示す如くフォーク昇降用の流体シリンダ６８（図２参照）を操作して、４本爪構造のフォーク７２を所定ストローク上昇させ、このフォーク７２でワークＡを受けると共に、ワークＡをワーク搬送装置３４のエンドレスベルト３６搬送面より上方に離間させる。
【００４５】
次にワーク出入れ装置４２を駆動して、図６に示すワーク搬送装置３４上のワークＡを開放されたワーク出入口５から脱水室４内へ自動搬入して、図７の状態と成す。
すなわちモータ５２を駆動して、各チェーン５４，４８を図６の矢印ｃ方向へ駆動すると、チェーン４８に連結されたランナ４４はレール４３に沿って図６の右方から同図の左方へ移動するので、このランナ４４の下部に設けられたリフタ４５がそのフォーク７２でワークＡを受止めた状態を維持して、ワークＡを脱水室４内に搬入する。
【００４６】
ワーク出入れ装置４２によるワークＡの脱水室４内への搬入動作は、図７に示すようにワークＡの挿入側が井形状の支持枠２１における縦部材２０に当接した時点で停止する。
この図７に示す状態下にあってはワークＡはフォーク７２上に上載された状態であり、一方、リフタ４５側における井形状の支持枠６７の横部材６５はフック１８のＵ字溝と上下方向に一致している。
【００４７】
次にスライダ６３昇降用の流体シリンダ６０のピストンロッドを図７の状態から図８に示す如く下動（突出）させ、スライダ６３を介してフック６４と、このフック６４に対して取外し可能に係止させた支持枠６７とを下降させると、支持枠６７の横部材６５がフック１８のＵ字溝に取外し可能に係止されると共に、リフタ４５側のフック６４はこの横部材６５と干渉しない下位置まで下降する。  上述の流体シリンダ６０の下動操作と同時に、フォーク昇降用の流体シリンダ６８（図２参照）のピストンロッドを下方へ突出して、フォーク７２上のワークＡを回転板１１上の各スペーサ１２上面に図８、図９に示す如く移載する。
【００４８】
この図８、図９に示す状態下においてはワークＡの下面は複数のスペーサ１２で支持され、ワークＡの挿入側の３方は支持枠２１を含む支持部材１３で支持され、ワークＡの反挿入側の面（図８の右側の面）は支持枠６７支持され、ワークＡの上面は非支持のフリー状態下にある。すなわち、ワークＡに遠心力が付勢されても、ワークＡは支持部材１３で確実に所定姿勢に支持規制された状態下にある。すなわちワークＡは合計４本の支持ロッド１６と合計４本の縦部材２０，６６により四隅部を除く前後左右の側面が支持されている。
【００４９】
次に図８に示す状態からワーク出入れ装置４２の全体を水平に後退動させて、例えば図５に示すノーマル位置まで復動させる。
次に扉開閉用の流体シリンダ９を操作して、レバー８および平行リンク機構７を介して一対の扉６，６を閉方向へ移動させ、図５に示すようにこれら一対の扉６，６にてワーク出入口５を閉塞する。
【００５０】
次に遠心脱水用のモータ３０を駆動して、原動タイミングプーリ３１、タイミングベルト３２および従動タイミングプーリ２７を介して回転軸１０を高速回転させると、ワークＡは上部開放構造の脱水室４内において上下の各回転軸１４，１０により両持ち支持され、かつ支持部材１３により位置決め保持された状態下において高速回転するので、ワークＡに遠心力が付勢され、前工程としての洗浄工程にてワークＡに付着残存する水滴、水分は遠心分離され、ワークＡを脱水処理することができる。
【００５１】
脱水処理後においてワークＡの回転を停止める場合には、位置決め停止用のセンサ２９でスリット円板２６を検知し、２つの支持枠２１，６７のうち何れか一方がワーク出入口５と対向した状態でモータ３０の回転を停止する。なお、上述のセンサ２９は発光要素と受光要素とを備えた光電センサで構成することができる。
【００５２】
脱水処理後において位置決め停止された脱水室４内のワークＡを搬出して、再びワーク搬送装置３４上に移載するには、一対の扉６を駆動して、ワーク出入口５を開放した後に、ワーク出入れ装置４２をワークＡ搬入時の動作と逆になるように動作させると、脱水後のワークＡを脱水室４内から自動的に取出して、ワーク搬送装置３４上に移載することができる。
【００５３】
なお、脱水処理後においてワーク搬送装置３４上に移載されたワークＡは、このワーク搬送装置３４の送出方向（図５の矢印ｄ方向）への駆動により次工程に向けて搬出される。なお、この場合、ストッパ装置７４を図５に示すように後退動させることは当然である。
【００５４】
また上記実施例で示したようにワークＡをワーク出入口５を介して横方向から出入れすべく構成すると、装置全高を短縮して、遠心脱水装置の小型コンパクト化を図ることができる効果がある。
加えて、複数のパレットａを積層したワークＡを一括的に脱水処理すると、処理能力の向上、処理時間の短縮を図ることができる効果がある。
【００５５】
この発明の構成と、上述の実施例との対応において、
この発明の回転部材は、実施例の回転板１１に対応し、
以下同様に、
支持部材は、支持枠２１および支持枠６７を含む支持部材１３とに対応し、
内側ケーシングは、インナケーシング３に対応し、
外側ケーシングは、アウタケーシング２に対応し、
内側ケーシングの開口部は、パンチングメタル（多孔板）製または網目構造のインナケーシング３のパンチング部（多孔部）または網目に対応するも、
この発明は、上述の実施例の構成のみに限定されるものではない。
【００５６】
例えばワーク出入れ装置４２は実施例で示したチェーン駆動タイプに代えて、ロッドレスシリンダその他のアクチュエータにより駆動してもよく、扉６も同様に平行リンク駆動構造に代えて、ロッドレスシリンダその他のアクチュエータにより駆動してもよい。
またワーク搬送装置３４を隔てた両側の側方に多少オフセットさせて２台もしくは複数台の脱水装置を配置することも可能であり、図９に示すように４本爪構造のフォーク７２を２本爪づつに分けて用いて、回転板１１の回転中心の左側と右側とに複数の容器群（ワーク）を均等に積載して遠心脱水することも可能である。
【００５７】
以上要するに上記構成の遠心脱水装置によれば、脱水室４内において回転部材（回転板１１参照）に上載されたワークＡは、支持部材によりワークＡの四隅部を除く前後左右の側部が支持される。
この状態で回転部材（回転板１１参照）を回転させると、ワークＡに付着した水滴、水分は遠心力により効率よく脱水される。
しかも、回転部材（回転板１１参照）上のワークＡは支持部材（支持部材１３参照）により遠心力に抗して所定姿勢に支持されることは勿論、最も水が切れやすいワークの四隅部を開放して水分を遠心脱水することができるので、高効率の脱水能力を確保することができる効果がある。
【００５８】
また、支持部材１３を支持部材本体１３Ａと、この支持部材本体１３Ａに対して着脱可能な支持枠２１，６７とで構成したので、脱水時においては支持部材本体１３Ａに支持枠２１，６７を装着してワークＡを位置決め保持することができ、またワークＡの脱水室４への搬入時、搬出時には支持部材本体１３Ａから離脱可能な支持枠２１，６７の少なくとも一方をワーク搬入用、ワーク搬出用の治具として兼用することができる効果があり、ワークの脱水時におけるクランプに必要となる構造の簡略化を図ることができる効果がある。
【００５９】
さらに、脱水室４を構成するケーシング２，３を内外２重構造と成し、遠心分離された水滴、水分を内側ケーシング（インナケーシング３参照）の開口部（パンチングメタル製ケーシング３の開口部）から外側ケーシング（アウタケーシング２参照）方向へ導出すべく構成したので、水と空気の分離効率の向上を図って、ワークＡから脱水した水を効果的に回収し、２次飛散水によるワークＡへの水分再付着をなくすことができる効果がある。
【００６０】
加えて、脱水室４を上部開放構造に形成したので、遠心脱水時において開放された脱水室上部からの円滑な気流（風の流れ）を確保することができ、脱水性能の向上を図ることができると共に、装置の振動および振動音の低減を達成することができる効果がある。
【００６１】
また、ワークＡを搬送するワーク搬送装置３４を脱水室４の側方に設けたので、例えば洗浄、脱水を必要としないワークＡを搬送する時、あるいは次工程に供給すべきワークＡが不足するような場合には、ワーク搬送装置３４にて搬送されるワークＡを脱水室４に供給することなく、脱水室Ａの側方を通過処理させることができる一方、脱水の必要があるワークＡについてはワーク出入れ装置４２にて、このワークＡを脱水室４に対して自動供給、自動取出しすることができる効果がある。
【００６２】
さらにワーク搬送装置３４によるワークＡの搬入、搬出方向は、ワークＡを搬入した方向と同じ側へ搬出すべく構成してもよく、このワーク搬送装置はベルトコンベアに代えてローラコンベアで構成してもよい。
加えて、脱水処理されるワークはパレットａに代えてコンテナや容器その他のワークであってもよい。また上述の各流体シリンダ９，６０，６８，７９としてはエアシリンダ、油圧シリンダを用いることができるが、ストロークが短くてよい場合には電磁ソレノイドを用いてもよい。
【図面の簡単な説明】
【図１】  本発明の遠心脱水装置を示す正面図。
【図２】  図１の右側面図。
【図３】  図１の平面視図。
【図４】  ワークの搬送ライン上における位置決め操作を示す平面図。
【図５】  扉によるワーク出入口の閉塞操作を示す平面図。
【図６】  フォークによるワークのリフトアップ操作を示す正面図。
【図７】  ワーク出入れ装置によるワークの脱水室への搬入操作を示す正面図。
【図８】  ワークの回転板上への移載完了操作を示す正面図。
【図９】  図８の要部の右側面図。
【符号の説明】
２…アウタケーシング
３…インナケーシング
４…脱水室
５…ワーク出入口
１１…回転板（回転部材）
１３…支持部材
１３Ａ…支持部材本体
２１，６７…支持枠
３４…ワーク搬送装置
４２…ワーク出入れ装置
Ａ…ワーク
【図１】
0003685561.tif 000002
【図２】
0003685561.tif 000003
【図３】
0003685561.tif 000004
【図４】
0003685561.tif 000005
【図５】
0003685561.tif 000006
【図６】
0003685561.tif 000007
【図７】
0003685561.tif 000008
【図８】
0003685561.tif 000009
【図９】
0003685561.tif 000010